(57)【要約】      （修正有）【課題】引戸等の相対移動規制に用いられる装置の組み付け作業を楽にする移動規制装置の提供。【解決手段】一方の引戸２０Ａの下桟２２の戸当たり部近傍にストッパ３０が設けられ、ストッパ３０は、基板部と、基板部の一対の固定部３１ａ、３１ｂの一方に連なる押込片３２と、押込片３２の自由端から延びる係止部３３と、係止部３３の突出端部に形成された引掛部３４を一体に有し、係止部３３の突出端部と引掛部３４とを横切る断面は、側壁２２ａに形成された係合穴２５より小さく、ストッパ３０を側壁２２ａの表側に配した状態で、係止部３３の突出端部と引掛部３４を係合穴２５に通した後で、ストッパ３０を側壁２２ａに沿ってずらすことにより位置決めし、この状態で固定部３１ａ，３１ｂを側壁２２ａの表側からネジ５０で固定する。【選択図】図３
2020041360.tif 000002
【特許請求の範囲】
【請求項１】
第１、第２構成部材の相対移動を規制する装置において、
上記第１構成部材の支持壁に設けられるストッパを備え、上記ストッパは、
（ア）上記第１構成部材の上記支持壁に固定される固定部と、
（イ）一端が上記固定部に連なり、上記支持壁の表側において上記第１、第２構成部材の相対移動方向に延び、自由端となる他端が上記支持壁から離間する押込片と、
（ウ）上記押込片の自由端から上記支持壁に向かって上記支持壁と交差する方向に延び、上記第２構成部材の相対移動軌跡上に位置する係止部と、
を一体に有し、
上記押込片は、上記係止部が上記第２構成部材の上記相対移動軌跡から外れるまで、上記支持壁に向かい弾性変形を伴って押し込み可能であるとともに、自身の弾性により元の位置に復帰可能であることを特徴とする移動規制装置。
【請求項２】
上記係止部は、上記支持壁に形成された係合穴を通って上記支持壁の裏側に突出しており、上記支持壁の裏側に位置する上記係止部の突出端部には引掛部が一体をなして連なり、上記引掛部は、上記支持壁に沿って突出し、上記係合穴の周縁部に重なることを特徴とする請求項１に記載の移動規制装置。
【請求項３】
上記固定部が、上記支持壁の表側の面に固定され、
上記係止部の上記突出端部と上記引掛部は、その断面が上記係合穴より小さく、上記支持壁の表側から上記係合穴を通ることが可能であることを特徴とする請求項２に記載の移動規制装置。
【請求項４】
上記ストッパは、基板部を有し、この基板部は、上記固定部としての第１固定部と、上記第１固定部から上記相対移動方向に離れた他の固定部としての第２固定部と、これら第１、第２固定部を連ねる架橋部を有し、上記押込片は上記第２固定部に向かうように上記架橋部に沿って延び、上記押込片と、上記架橋部および上記第２固定部との間に、Ｌ字形のスリットが形成されていることを特徴とする請求項３に記載の移動規制装置。
【請求項５】
さらに、上記支持壁の裏側の面に沿う裏当板を有し、上記支持壁の表側から上記ストッパの上記固定部と上記支持壁を貫通するネジが、上記裏当板のネジ穴にねじ込まれることにより、上記固定部と上記裏当板が上記支持壁を挟んで固定されていることを特徴とする請求項３または４に記載の移動規制装置。
【請求項６】
上記第１構成部材が引戸からなり、上記引戸の下桟が一対の側壁と下方に開口する凹部を有しており、上記一対の側壁の一方が上記支持壁として提供され、上記裏当板が上記凹部において上記一方の側壁の裏側の面に固定されていることを特徴とする請求項５に記載の移動規制装置。
【請求項７】
上記第１、第２構成部材がそれぞれ第１、第２の引戸からなり、上記ストッパが上記第１引戸の水平をなす桟の戸当たり部の近傍に設けられ、上記桟が一対の側壁を有し、上記一対の側壁の一方が上記支持壁として提供され、上記ストッパの上記係止部が上記第２引戸の召合わせ部を係止することを特徴とする請求項１〜５のいずれかに記載の移動規制装置。
【発明の詳細な説明】
【技術分野】
【０００１】
本発明は、引戸等の移動を規制する装置に関する。
【背景技術】
【０００２】
窓や筺体の開口を開閉する引違い式の２枚の引戸は、互いの召合わせ部が重なることにより窓や開口を閉じ、引戸全体が完全に重なることにより、窓や開口を全開にする。
全開状態または全開状態に近い状態になるまで一方の引戸を他方の引戸に対して移動させると、一方の引戸の戸当たり部又はその近傍の引手と他方の引戸の召合わせ部の間で手指が挟まれることがある。
【０００３】
そのため、いずれかの引戸にストッパを設け、このストッパにより２つの引戸が全開状態になるのを阻止する装置が種々開発されている。しかし、ストッパが邪魔になり、引戸を全開状態にすることができない。
【０００４】
特許文献１に開示された引戸用の移動規制装置は、一方の引戸の中桟の戸当たり部近傍に設けられており、水平をなす板形状のストッパを備えている。このストッパの一端部は、中桟の側壁の裏側の面に固定されたブラケットに、ピンを介して回動可能に支持されている。ストッパは、中桟の側壁に形成されたスリットに挿通され、その一部が側壁の表側に突出している。この突出状態はブラケットに支持されたバネにより維持されている。
【０００５】
特許文献１の板状のストッパは、その突出状態において他方の引戸の移動軌跡上に位置する係止部を有するとともに、中桟の側壁の裏側の面に係止されてストッパの回動を規制する引掛部を有している。
【０００６】
特許文献１の移動規制装置では、他方の引戸が開き方向に移動する際に、上記ストッパの係止部に他方の引戸の召合わせ部が当たることにより、全開状態になるまで移動するのを禁じられ、これにより手指が挟まれるのを回避することができる。また、ストッパをバネに抗して押し込むことにより、一時的に係止部を他方の引戸の移動軌跡から外すことができ、これにより引戸を全開状態にすることができる。
【先行技術文献】
【特許文献】
【０００７】
【特許文献１】実公昭５７−５９５８９号公報
【発明の概要】
【発明が解決しようとする課題】
【０００８】
特許文献１の移動規制装置では、ストッパの他に、ブラケット、ピン、バネが必要となるので、部品点数が多く、ひいては組付作業が煩雑である。
【課題を解決するための手段】
【０００９】
本発明は、上記の問題を解決するためになされたもので、第１、第２構成部材の相対移動を規制する装置において、
上記第１構成部材の支持壁に設けられるストッパを備え、上記ストッパは、（ア）上記第１構成部材の上記支持壁に固定される固定部と、（イ）一端が上記固定部に連なり、上記支持壁の表側において上記第１、第２構成部材の相対移動方向に延び、自由端となる他端が上記支持壁から離間する押込片と、（ウ）上記押込片の自由端から上記支持壁に向かって上記支持壁と交差する方向に延び、上記第２構成部材の相対移動軌跡上に位置する係止部と、を一体に有し、上記押込片は、上記係止部が上記第２構成部材の上記相対移動軌跡から外れるまで、上記支持壁に向かい弾性変形を伴って押し込み可能であるとともに、自身の弾性により元の位置に復帰可能であることを特徴とする。
【００１０】
上記構成によれば、ストッパの係止部に第２構成部材が係止されることにより第１、第２構成部材の相対移動を規制することができる。また、ストッパが固定部と押込片と係止部を一体に有するとともに弾性を有しているので、部品点数を最小限にすることができ、ひいては組付作業を楽に行なうことができる。
【００１１】
好ましくは、上記係止部は、上記支持壁に形成された係合穴を通って上記支持壁の裏側に突出しており、上記支持壁の裏側に位置する上記係止部の突出端部には引掛部が一体をなして連なり、上記引掛部は、上記支持壁に沿って突出し、上記係合穴の周縁部に重なる。
上記構成によれば、ストッパに第２構成部材が強く当たった時には、引掛部が支持壁の係合穴の周縁部に引っ掛かるため、押込片が支持壁から離れる方向へ回動または変形するのを禁じられ、押込片の破壊等を防止できる。
【００１２】
好ましくは、上記固定部が、上記支持壁の表側の面に固定され、上記係止部の上記突出端部と上記引掛部は、その断面が上記係合穴より小さく、上記支持壁の表側から上記係合穴を通ることが可能である。
上記構成によれば、ストッパの係止部と引掛部を支持壁の表側から支持壁の係合穴に通した後に、ストッパを移動させることにより、引掛部が係合穴の周縁部と重なるようにストッパを位置決めすることができ、この状態でストッパの固定部を支持壁の表側から支持壁に固定することができるので、組付作業をより一層簡略化することができる。
【００１３】
好ましくは、上記ストッパは、基板部を有し、この基板部は、上記固定部としての第１固定部と、上記第１固定部から上記相対移動方向に離れた他の固定部としての第２固定部と、これら第１、第２固定部を連ねる架橋部を有し、上記押込片は上記第２固定部に向かうように上記架橋部に沿って延び、上記押込片と、上記架橋部および上記第２固定部との間に、Ｌ字形のスリットが形成されている。
上記構成によれば、離間した第１、第２固定部により、ストッパを強固に固定できるとともに、その間に押込片を配置したことにより、ストッパのサイズを小さくすることができる。
【００１４】
好ましくは、さらに、上記支持壁の裏側の面に沿う裏当板を有し、上記支持壁の表側から上記ストッパの上記固定部と上記支持壁を貫通するネジが、上記裏当板のネジ穴にねじ込まれることにより、上記固定部と上記裏当板が上記支持壁を挟んで固定されている。
上記構成によれば、ストッパをより強固に支持壁に固定することができる。
【００１５】
好ましくは、上記第１構成部材が引戸からなり、上記引戸の下桟が一対の側壁と下方に開口する凹部を有しており、上記一対の側壁の一方が上記支持壁として提供され、上記裏当部が上記凹部において上記一方の側壁の裏側の面に固定されている。
上記構成によれば、裏当板を下桟の凹部から簡単に挿入することができ、引戸の製造後でも、移動規制装置の組付作業を行なうことができる。
【００１６】
より具体的態様では、上記第１、第２構成部材がそれぞれ第１、第２の引戸からなり、上記ストッパが上記第１引戸の水平をなす桟の戸当たり部の近傍に設けられ、上記桟が一対の側壁を有し、上記一対の側壁の一方が上記支持壁として提供され、上記ストッパの上記係止部が上記第２引戸の召合わせ部を係止する。
【発明の効果】
【００１７】
本発明によれば、移動規制装置の組み付け作業を簡略化することができる。
【図面の簡単な説明】
【００１８】
【図１】引違い式の２枚の引戸を備え、外側の引戸に本発明の一実施形態に係る移動規制装置を装着した筺体を示すもので、（Ａ）は筺体の前側から見た斜視図、（Ｂ）は筺体の後側から見た斜視図であり筺体の背板を省略して示す。
【図２】上記移動規制装置の作用を順に説明する斜視図であり、（Ａ）は内側の引戸が開き方向に移動してその召合わせ部が上記移動規制装置のストッパに近づいた状態を示し、（Ｂ）は内側の引戸の召合わせ部が上記ストッパに当って係止された状態を示し、（Ｃ）は上記ストッパが押し込まれて内側の引戸に対する係止が解除された状態を示し、（Ｄ）は係止を解除された内側の引戸の召合わせ部が上記ストッパを通過してさらに開き方向に移動している状態を示す。
【図３】上記移動規制装置を水平面で切断した拡大断面図であり、（Ａ）〜（Ｄ）は、図２（Ａ）〜（Ｄ）にそれぞれ対応した状態を示す。
【図４】上記移動規制装置を分解して示す拡大斜視図である。
【図５】上記ストッパを図４において下方から見た斜視図であり、（Ａ）はストッパの押込片が突出した状態、（Ｂ）は押込片が後退した状態をそれぞれ示す。
【図６】（Ａ）は図４において上記ストッパをＡ方向から見た図、（Ｂ）は図４において上記ストッパをＢ方向から見た図、（Ｃ）は図４において上記ストッパをＣ方向から見た図である。
【図７】上記ストッパを外側の引戸の下桟に固定する工程において、上記ストッパの引掛部と下桟の係合穴との位置関係を示す図であり、（Ａ）は下桟の側壁の表側からストッパの引掛部を係合穴に挿入した状態を示し、（Ｂ）はストッパを下桟に沿って移動させて上記引掛部を上記係合穴の縁部に重ねた状態を示す。
【発明を実施するための形態】
【００１９】
以下、本発明の一実施形態に係る引戸用の移動規制装置を、図面を参照しながら説明する。図１は、景品取得ゲーム装置等に用いられる筺体１０を、２枚の引戸２０Ａ，２０Ｂとともに概略的に示している。
【００２０】
筺体１０の開口１１の周縁部の内面には矩形の開口枠が固定されている。この開口枠のうち左右の縦枠と上枠は図示を省略している。
開口１１の下縁部に固定された開口枠の下枠１２は、図２に示すように、互いに平行をなす２本のレール部１２ａ，１２ｂを有しており、開口１１の上縁に固定された上枠（図示しない）も２本のガイド部を有している。
【００２１】
引戸２０Ａ，２０Ｂは、略左右対称をなしており、透明のガラス板２１とこのガラス板２１を囲う矩形のサッシ枠とを有している。図ではサッシ枠の上桟と左右の縦桟の図示を省略している。
【００２２】
引戸２０Ａ，２０Ｂのサッシ枠の下桟２２は、断面Ｈ形状の押出型材からなり、その上部にガラス板２１の下縁部が嵌っており、その下部には戸車が取り付けられている。
外側の引戸２０Ａ（第１引戸；第１構成部材）は、外側のレール部１２ａと外側のガイド部に案内されて移動可能であり、内側の引戸２０Ｂ（第２引戸；第２構成部材）は、外側のレール部１２ｂと外側のガイド部に案内されて、移動可能である。
【００２３】
図１に示すように、引戸２０Ａ、２０Ｂの召合わせ部が重なった状態で筺体１０の開口１１が閉じられている。引戸２０Ａ，２０Ｂは、戸当たり部近傍のガラス板２１に、外側から見て凹んだ引手２３を有している。上記閉じ状態から、例えば外側の引戸２０Ａを静止させたまま、内側の引戸２０Ｂの引手２３に手指を入れて移動させることにより開口１１が開かれる。
【００２４】
上記のように内側の引戸２０Ｂが開き方向に移動して、引戸２０Ａ、２０Ｂの全体が重なる全開状態になる前に、引手２３に入れられた手指が外側の引戸２０Ａの召合わせ部と引手２３の縁との間で挟まれる可能性がある。
【００２５】
上記のような可能性を無くすために、外側の引戸２０Ａの下桟２２に、その戸当たり部近傍（戸当たり部寄り）に移動規制装置Ｍが設けられている。
図４に示すように、外側の引戸２０Ａの下桟２２は、前述したように断面Ｈ字形をなし、内側の側壁２２ａと、外側の側壁２２ｂとを有し、下部に凹部２２ｃ（内部空間）を有している。凹部２２ｃは下桟２２の長手方向に延び下方が開放されている。
【００２６】
内側の側壁２２ａの下部は、移動規制装置Ｍが装着される支持壁として提供される。側壁２２ａには、後述するようにストッパ３０の係止部３３が挿通される係合穴２５が形成されるとともに、この係合穴２５の両側に後述するねじ５０が通る貫通穴２６が形成されている。
【００２７】
図４に示すように、本実施形態の移動規制装置Ｍは、ストッパ３０と裏当板４０を備えている。
ストッパ３０は、樹脂の射出成形品からなり、図４〜図６に示すように、全体として長方形の板状をなしており、基板部３１と、押込片３２と、係止部３３と、引掛部３４を一体に有している。
【００２８】
基板部３１は、下桟２２の長手方向（引戸２０Ａ，２０Ｂの移動方向）に離れた一対の固定部３１ａ、３１ｂ（第１、第２固定部）と、これら固定部３１ａ、３１ｂを連ねる架橋部３１ｃと、を有している。固定部３１ａ，３１ｂには座グリ穴３１ｘが形成されている。
【００２９】
押込片３２は細長い板形状をなしており、その一端が一方の固定部３１ａに連なり他方の固定部３１ｂに向かって架橋部３１ｃに沿って延びている。押込片３２は固定部３１ｂに向かうにしたがって徐々に基板部３１の表側の面から離れるように、基板部３１に対して傾斜している。
基板部３１の固定部３１ｂおよび架橋部３１ｃと押込片３２との間には、Ｌ字形のスリット３５が形成されている。
【００３０】
押込片３２の他端は自由端となり、この自由端から上記係止部３３が基板部３１に向かって延び、その先端部（突出端部）は基板部３１の裏側に突出している。係止部３３において固定部３１ｂに臨む面は、基板部３１の表側の面と直角をなす係止面３３ａとして提供される。
【００３１】
上記引掛部３４は、係止部３３の突出端部から固定部３１ｂに向かって突出している。引掛部３４は、基板部３１の裏側の面から離れている。図７（Ａ）に示すように、係止部３３の突出端部と引掛部３４を横切る断面は、円の一部をカットした形状を有しており、下桟２２の側壁２２ａに形成された円形の係合穴２５より小さい。
【００３２】
図４に示すように、裏当板４０は、下桟２２の係合穴２５に対応した位置に係合穴２５より大きな切欠４１を有するとともに、両端部にネジ穴４２を有している。切欠４１は上側が開放されている。
【００３３】
次に、移動規制装置Ｍの組み付け工程について詳述する。
まず、裏当板４０を下から下桟２２の凹部２２ｃに挿入し、裏当板４０のネジ穴４２と下桟２２の側壁２２ａの貫通孔２６とを合わせた状態で、両面テープ等で裏当板４０を凹部２２ｃの裏側の面に貼り付ける。
【００３４】
次に、ストッパ３０を下桟２２の側壁２２ａに位置決めする。ストッパ３０を側壁２２ａの表側に配し、ストッパ３０の基板部３１の長手方向を下桟２２の長手方向にほぼ揃えた状態で、図７（Ａ）に示すようにストッパ３０の係止部３３の突出端部と引掛部３４を、側壁２２ａの係合穴２５に通し、基板部３１の裏側の面を側壁２２ａの表側の面に当てる。この状態で係止部３３の突出端部と引掛部３４は側壁２２ａの裏側の面から突出した位置にある。
【００３５】
次に、ストッパ３０を下桟２２の長手方向（引戸２０Ａ，２０Ｂの移動方向）にずらすことにより、図７（Ｂ）に示すように引掛部３４を係合穴２５の周縁部の一部と重ねるとともに、ストッパ３０の基板部３１の座グリ穴３１ｘと下桟２２の貫通穴２６を合せる。この位置決め状態で、ネジ５０を座グリ穴３１ｘと貫通穴２６に通し、裏当板４０のネジ穴４２にネジ５０をねじ込んで締め付けることにより、ストッパ３０と裏当板４０が下桟２２の側壁２２ａを挟むようにして側壁２２ａに固定される。
【００３６】
ストッパ３０は、バネ、ピン、ブラケット等を必要とせずに、側壁２２ａに固定部３１ａ、３１ｂを下桟２２の側壁２２ａに固定するだけで取り付けることができ、取付作業を簡単にすることができる。
また、ストッパ３０を下桟２２の側壁２２ａの表側に配置した状態で、この側壁２２ａの表側からネジ５０でストッパ３０を固定するので、ストッパ３０を簡単な作業で固定できる。裏当板４０も下桟２２の凹部２２ｃから挿入できるので、取付作業を煩雑にすることはない。このように、移動規制装置Ｍの組付作業を簡略化できる。なお、この移動規制装置Ｍは、引戸２０Ａを完成させた後で取り付けることができ、引戸２０Ａを分解せずに修理を行うこともできる。
【００３７】
図３（Ａ）に示すように、上記ストッパ３０を固定した状態で、押込片３２は、下桟２２の長手方向に延びその自由端に向かって下桟２２の側壁２２ａの表側の面から離れるように傾斜している。係止部３３は、側壁２２ａの係合穴２５を通るとともに、引戸２０Ｂの移動軌跡上に位置しており、その係止面３３ａは、側壁２２ａの表側の面および引戸２０Ａ，２０Ｂの移動方向と直交している。引掛部３４は、側壁２２ａの裏側において係合穴２５の周縁部の一部と重なっている。
【００３８】
上記構成をなす移動規制装置Ｍの作用を説明する。図１に示すように、引戸２０Ａ，２０Ｂの召合わせ部が重なって筺体１０の開口１１を閉じた状態から、外側の引戸２０Ａを静止させたまま、内側の引戸２０Ｂを移動させて開口１１を開く場合を例にとって説明する。
【００３９】
図２（Ａ）、図３（Ａ）に示すように、引戸２０Ｂの召合わせ部が引戸２０Ａのストッパ３０に近づき、さらに引戸２０Ｂの移動を継続すると、図２（Ｂ）、図３（Ｂ）に示すように、引戸２０Ｂの召合わせ部がストッパ３０の係止部３３の係止面３３ａに当たり、それ以上の開き方向の移動が禁じられる。その結果、前述した手指が引戸２０Ａの召合わせ部と引戸２０Ｂの引手２３との間で挟まれるのを防止することができる。
【００４０】
引戸２０Ｂのストッパ３０への衝撃が大きい場合には、係止部３３を介して押込片３２に固定部３１ａを支点とする曲げ荷重（基板部３１から離れる方向の曲げ荷重）が働く。しかし、引掛部３４が引戸２０Ａの下桟２２の側壁２２ａの裏面において、係合穴２５の周縁部に引っ掛かるため、押込片３２が大きく弾性変形するのを回避することができ、その破損や疲労破壊を回避することができる。
【００４１】
引戸２０Ｂを全開状態にすることを所望する場合には、図２（Ｃ）、図３（Ｃ）に示すように、上記押込片２２をその弾性に抗して押し込むことにより、係止部３３を引戸２０Ｂの移動軌跡から外すことができる。この状態で、図２（Ｄ）、図３（Ｄ）に示すように引戸２０Ｂをさらに開き方向に移動させれば、全開状態にすることができる。
【００４２】
本実施形態では、基板部３１と押込片３２と係止部３３と引掛部３４を一体に有するストッパ３０を用い、押込片３２自身の弾性を利用して上記押込み位置から元の位置への復帰を行ない、別途バネを用いないので、構成を簡略化することができるとともに、組付作業をより一層簡略化することができる。
ストッパ３０は離間した一対の固定部３１ａ，３１ｂで側壁２２ａに固定するので、強固に固定できる。押込片３２は固定部３１ａ，３１ｂ間に配置されているので、ストッパ３２のサイズを小さくすることができる。
裏当板４０はストッパ３０の固定強度をさらに高めることができる。なお、裏当板４０を省略し、側壁２２ａに形成されたネジ穴にネジ５０をねじ込むことによりストッパ３０を固定してもよい。
【００４３】
上記実施形態において、内側の引戸２０Ｂを静止したまま、移動規制装置Ｍを装着した外側の引戸２０Ａを移動させてもよい。この場合も、ストッパ３０が内側の引戸２０Ｂの召し合わせ部に当たり、外側の引戸２０Ａの移動（外側の引戸２０Ａに対する内側の引戸２０Ｂの相対移動）を規制することができる。
【００４４】
本発明は、上記実施に制約されず、その要旨を逸脱しない範囲において各種の変形例を採用することができる。
例えば、本発明を窓の引戸の移動規制に用いても良い。
本発明を引違い式の引戸のみならず片引きの引戸の移動規制に用いてもよい。この場合、引戸に移動規制装置を装着してもよいし、この引戸を収容する戸袋や嵌め殺しの戸等の構成部材に移動規制装置を装着してもよい。
押込片自身の弾性を利用する代わりに、捩りバネ等のバネ（弾性部材）を用いて押込片を突出方向に付勢してもよい。
【符号の説明】
【００４５】
Ｍ  移動規制装置
２０Ａ  外側の引戸（第１引戸；第１構成部材）
２０Ｂ  内側の引戸（第２引戸；第２構成部材）
２２  下桟（桟）
２２ａ  下桟の側壁（支持壁）
２２ｂ  下桟の側壁
２２ｃ  凹部
２５  係合穴
２６  貫通穴
３０  ストッパ
３１  基板部
３１ａ  固定部（第１固定部）
３１ｂ  固定部（第２固定部）
３１ｃ  架橋部
３２  押込片
３３  係止部
３４  引掛部
３５  スリット
４０  裏当板
４２  ネジ穴
５０  ネジ
【図１】
2020041360.tif 000003
【図２】
2020041360.tif 000004
【図３】
2020041360.tif 000005
【図４】
2020041360.tif 000006
【図５】
2020041360.tif 000007
【図６】
2020041360.tif 000008
【図７】
2020041360.tif 000009